(57)【要約】【課題】簡易な設備で粉塵を除去することができると共に、作業状態の観察が容易で高精度な研磨若しくは切削作業を実行することができる水使用研磨用ボックスを提供する。【解決手段】支持台９の上部に載置された第１の水受皿４と、水受皿４の上方に設けられた第２の水受皿５と、水受皿５の上方に設けられ水受皿５との間に研磨作業空間３を形成する上蓋部材６と、水受皿４の下方に設けられ支持台９に支持されている貯水容器７と、水受皿５を介して水受皿４と貯水容器７とを流水可能につなぐ排水管８と、を具備し、上蓋部材６には、作業する手を研磨作業空間３に挿入可能な作業用開口２２、２３が形成されている。これにより、研磨機等から洗浄水を噴射しながら研磨等の作業を行うことができ、研磨等によってワークから発生する粉塵が室内に飛散することを防止することができると共に、発熱による損傷のない高精度且つ高品質な研磨等の加工が可能となる。【選択図】図１
0003225358.tif 000002
【実用新案登録請求の範囲】
【請求項１】
支持台の上部に載置された第１の水受皿と、
前記第１の水受皿の上方に設けられた第２の水受皿と、
前記第２の水受皿の上方に設けられ前記第２の水受皿との間に研磨作業空間を形成する上蓋部材と、
前記第１の水受皿の下方に設けられ前記支持台に支持されている貯水容器と、
前記第１の水受皿を介して前記第２の水受皿と前記貯水容器とを流水可能につなぐ排水管と、を具備し、
前記上蓋部材には、作業する手を前記研磨作業空間に挿入可能な作業用開口が形成されていることを特徴とする水使用研磨用ボックス。
【請求項２】
前記上蓋部材には、前記研磨作業空間を上方から覆う上蓋部と、前記研磨作業空間を側方から覆う側壁部と、を有し、
前記作業用開口は、前記側壁部に形成されていることを特徴とする請求項１に記載の水使用研磨用ボックス。
【請求項３】
前記作業用開口は、ワークをつかむ手を挿通可能な第１の作業用開口と、研磨機をつかむ手を挿通可能な第２の作業用開口と、から構成され、
前記第２の作業用開口は、前記側壁部から前記上蓋部まで連続して開口するよう形成されていることを特徴とする請求項２に記載の水使用研磨用ボックス。
【請求項４】
前記第１の水受皿の底面部には、下方に突出して開口し前記排水管が接続される排水管接続部が形成されており、
前記第２の水受皿の底面部には、下方に突出して開口し前記排水管接続部に挿入される排水筒部が形成され、
前記第２の水受皿は、前記第２の水受皿の底面部が前記第１の水受皿の底面部に当接するよう前記第１の水受皿の側面部よりも内側に取り外し自在に載置され、
前記上蓋部材は、前記側壁部が前記第２の水受皿の側面部の内側に取り外し自在に固定されることを特徴とする請求項２または請求項３に記載の水使用研磨用ボックス。
【請求項５】
前記支持台の下端部には、前記支持台を移動自在に支持する車輪が設けられていることを特徴とする請求項１から請求項４のいずれか１項に記載の水使用研磨用ボックス。
【考案の詳細な説明】
【技術分野】
【０００１】
本考案は、研磨や切削作業中の除塵を可能とした水使用研磨用ボックスに関し、特に、洗浄水を利用して歯科用研磨作業を安全且つ高精度に実行することができる水使用研磨用ボックスに関する。
【背景技術】
【０００２】
従来、例えば、義歯等の歯科用ワークを研磨または切削する際に用いられ、ワークから発生する研磨屑や切削屑を回収して飛散を防止する歯科用粉塵器が知られている。この種の歯科用粉塵器としては、空気を吸引して排気する吸引ポンプ等の排気設備と、粉塵を吸着するフィルタ等を備え、空気流を利用して研磨屑等をフィルタに吸着して飛散を防止する方式のものがある。
【０００３】
例えば、特許文献１には、作業者の両手が載るベースと、ベースの前端部に設けられて外部から吸引される吸塵口を有する吸塵口ユニットと、吸塵口を通る空気の除塵を行う着脱自在なフィルタユニットと、作業位置とフィルタ交換位置とに回動自在に設けられたカバーと、を備えた歯科用集塵器が開示されている。
【０００４】
同文献に開示された歯科用集塵器は、吸塵口ユニットに吸気力を作用させる排気装置に接続される。作業者が小型グライン等を用いてワークを研磨等する際には、排気装置の吸引により、空気は、空気取入口から流入し、作業者の両手の間を経由してフィルタユニットを介して吸塵口ユニットに流入して排出される。これにより、研磨等の作業によって発生する粉塵の外部への飛散が抑えられる。
【０００５】
また、例えば、特許文献２には、作業者の両手が載るベースと、前部が開放されて側部に両手の差込み口を有し、後部のみでベースに取り付けられたカバーと、ベースの後部に設けられた吸引口と、を備える前方開放型作業ボックスが開示されている。同文献に開示された前方開放型作業ボックスには、カバーの上壁に透明板や拡大鏡が設けられている。
【先行技術文献】
【特許文献】
【０００６】
【特許文献１】特開２０１２−９５６９８号公報
【特許文献２】特開２００３−１２６１１８号公報
【考案の概要】
【考案が解決しようとする課題】
【０００７】
しかしながら、上記した従来技術の歯科用粉塵器のように空気流を利用して研磨等作業の除塵を行う方式では、粉塵を含む空気を吸引するための吸引ポンプ等を有する排気設備が必要であった。そして、研磨ボックスの吸塵口と排気設備との間には、吸塵口と排気設備とを空気流通自在につなぐ配管ホースを設けると共に、空気流路に粉塵を吸着するフィルタを設ける必要がある。そのため、従来技術の歯科用粉塵器を利用した研磨装置は、研磨等作業に必要な構成機器が多く、設備が複雑になるという問題点があった。
【０００８】
また、上記した従来技術の歯科用粉塵器では、飛散する洗浄水を受け止めて回収する構成を備えていないので、研磨等の作業時に研磨機から洗浄水を噴射することができなかった。そのため、ワークと加工工具との摩擦による発熱によりワークの温度が高くなり、ワークの品質を劣化させてしまうという問題点があった。
【０００９】
また、従来技術の空気流を利用した研磨ボックスでは、フィルタによって粉塵を吸着して除去する方式であるので、フィルタには粉塵が付着し易く、粉塵が付着したフィルタを頻繁に交換する必要があった。そのため、交換用フィルタを多数準備する必要があると共に、フィルタ交換の作業が負担となった。
【００１０】
また、特許文献２に開示された作業ボックスのように、透明板や拡大鏡を介して加工領域の作業状況を見ながらワークの研磨や切削を行う構成では、透明板や拡大鏡の内面に粉塵が付着して、作業状況の観察が難しくなるという問題点もあった。
【００１１】
本考案は、上記の事情に鑑みてなされたものであり、その目的とするところは、簡易な設備で粉塵を除去することができると共に、作業状態の観察が容易で高精度な研磨若しくは切削作業を実行することができる水使用研磨用ボックスを提供することにある。
【課題を解決するための手段】
【００１２】
本考案の水使用研磨用ボックスは、支持台の上部に載置された第１の水受皿と、前記第１の水受皿の上方に設けられた第２の水受皿と、前記第２の水受皿の上方に設けられ前記第２の水受皿との間に研磨作業空間を形成する上蓋部材と、前記第１の水受皿の下方に設けられ前記支持台に支持されている貯水容器と、前記第１の水受皿を介して前記第２の水受皿と前記貯水容器とを流水可能につなぐ排水管と、を具備し、前記上蓋部材には、作業する手を前記研磨作業空間に挿入可能な作業用開口が形成されていることを特徴とする。
【考案の効果】
【００１３】
本考案の水使用研磨用ボックスによれば、支持台の上部に載置された第１の水受皿と、第１の水受皿の上方に設けられた第２の水受皿と、第２の水受皿の上方に設けられ第２の水受皿との間に研磨作業空間を形成する上蓋部材と、第１の水受皿の下方に設けられ支持台に支持されている貯水容器と、第１の水受皿を介して前記第２の水受皿と貯水容器とを流水可能につなぐ排水管と、を具備し、上蓋部材には、作業する手を研磨作業空間に挿入可能な作業用開口が形成されている。
【００１４】
このような構成により、作業者は、加工するワークと研磨機を持つ手を作業用開口からボックス内の研磨作業空間に挿入し、洗浄水を噴射しながらワークを研磨等する加工を実行することができる。即ち、従来技術の空気流を利用する歯科用粉塵器のように研磨機等からの洗浄水噴射を停止することなく、研磨作業中に研磨機等から洗浄水を噴射しながら作業を行うことができる。
【００１５】
詳しくは、本考案の水使用研磨用ボックスによれば、研磨機等から洗浄水を噴射し、その洗浄水によってワークの被加工部分から飛散する研磨屑等を捕らえて下方に押し流すことができる。また、粉塵と共にワークから周囲に飛散する水溶液についても上蓋部材の内周に当たって下方に流される。
【００１６】
そして、本考案の水使用研磨用ボックスは、第１の水受皿、第２の水受皿、排水管及び貯水容器を有するので、粉塵と共に下方に流された洗浄水は第２の水受皿で受け止められ、第１の水受皿及び排水管を介して貯水容器に流されその内部に貯留される。これにより、研磨作業等によってワークから発生する粉塵が室内に飛散することを防止することができる。
【００１７】
また、本考案の水使用研磨用ボックスは、研磨等加工中のワークに洗浄水を吹き付けることができるので、ワークの被加工部分を冷却することができ、摩擦によるワークの高温化を抑えることができる。よって、発熱による損傷のない高精度且つ高品質な研磨等の加工が可能となる。
【００１８】
また、本考案の水使用研磨用ボックスによれば、前記上蓋部材には、前記研磨作業空間を上方から覆う上蓋部と、前記研磨作業空間を側方から覆う側壁部と、を有し、前記作業用開口は、前記側壁部に形成されていても良い。
【００１９】
これにより、粉塵等の飛散を抑え安全に作業を行うことができる好適な広さの研磨作業空間を形成するボックスが得られる。また、側壁部に形成された作業用開口からボックス内の研磨作業空間に、ワークや研磨機を持つ手を容易に挿入することができる。よって、効率良く安全な研磨等作業を行うことができる。
【００２０】
また、本考案の水使用研磨用ボックスによれば、前記作業用開口は、ワークをつかむ手を挿通可能な第１の作業用開口と、研磨機をつかむ手を挿通可能な第２の作業用開口と、から構成され、前記第２の作業用開口は、前記側壁部から前記上蓋部まで連続して開口するよう形成されていても良い。
【００２１】
これにより、上蓋部材まで開口する第２の作業用開口から研磨機を容易に挿入できると共に、第２の作業用開口から研磨機等による加工箇所を正確に視認しながら研磨等の加工を実行することができる。よって、加工を行う手を動かし易く研磨機等の操作が容易になると共に、視覚を通じて加工状態を正確に把握することができるので、安全且つ高精度な研磨等加工を行うことができる。
【００２２】
また、本考案の水使用研磨用ボックスによれば、前記第１の水受皿の底面部には、下方に突出して開口し前記排水管が接続される排水管接続部が形成されており、前記第２の水受皿の底面部には、下方に突出して開口し前記排水管接続部に挿入される排水筒部が形成され、前記第２の水受皿は、前記第２の水受皿の底面部が前記第１の水受皿の底面部に当接するよう前記第１の水受皿の側面部よりも内側に取り外し自在に載置され、前記上蓋部材は、前記側壁部が前記第２の水受皿の側面部の内側に取り外し自在に固定されても良い。
【００２３】
このような構成により、研磨屑等を流す洗浄水が、上蓋部材と第２の水受皿の接続部または第１の水受皿と第２の水受皿の接続部から外部に流出してしまうことを防止することができる。また、上蓋部材及び第２の水受皿が取り外し自在に設けられているので、上蓋部材及び第２の水受皿を取り外して、それらに付着している研磨屑等を容易に洗い流すことができる。
【００２４】
また、本考案の水使用研磨用ボックスによれば、前記支持台の下端部には、前記支持台を移動自在に支持する車輪が設けられても良い。これにより、水使用研磨用ボックスの移動が容易になり、研磨等の作業効率が向上する。
【図面の簡単な説明】
【００２５】
【図１】本考案の実施形態に係る水使用研磨用ボックスの斜視図である。
【図２】本考案の実施形態に係る水使用研磨用ボックスのボックス付近の透視図である。
【図３】本考案の実施形態に係る水使用研磨用ボックスのボックス付近を示す正面図である。
【図４】本考案の実施形態に係る水使用研磨用ボックスのボックス付近を示す平面図である。
【図５】本考案の実施形態に係る水使用研磨用ボックスのボックス付近を示す分解図である。
【図６】本考案の実施形態に係る水使用研磨用ボックスの使用状態を示すボックス付近の透視図である。
【考案を実施するための形態】
【００２６】
以下、本考案の実施形態に係る水使用研磨用ボックスを図面に基づき詳細に説明する。
図１は、本考案の実施形態に係る水使用研磨用ボックス１を正面左斜め上から見た斜視図である。
【００２７】
水使用研磨用ボックス１は、研磨や切削作業等に用いられるものである。具体的には、水使用研磨用ボックス１は、研磨作業等の際に洗浄水の噴射を可能としてワークＷ（図６参照）を冷却すると共に、ワークＷから発生する研磨屑や切削屑等を回収して、研磨屑等の飛散を防止するために用いられるものである。
【００２８】
例えば、水使用研磨用ボックス１は、歯科医師や歯科技工士等の作業者がハンドピースと称されるエアーグラインダ等の研磨機Ｐ（図６参照）を用いて義歯等の歯科用のワークＷを研磨等する際の除塵に利用される。即ち、水使用研磨用ボックス１は、歯科技工において、ワークＷからの粉塵の飛散を防止すると共に、ワークＷを高精度且つ高品質に加工するために用いられる。
【００２９】
図1に示すように、水使用研磨用ボックス１は、内部に研磨作業空間３が形成されるボックス２と、ボックス２の下方に設けられた第１の水受皿としての水受皿４と、水受皿４の下方に設けられた貯水容器７と、水受皿４を介してボックス２と貯水容器７とをつなぐ排水管８と、を有する。
【００３０】
ボックス２は、ワークＷや研磨機Ｐ等を挿入して研磨等の作業を行う研磨作業空間３を形成する部材である。ボックス２は、略直方体状の形態をなす箱状の部材であり、底面側が第２の水受皿としての水受皿５で形成され、上面側が上蓋部材６で形成されている。
【００３１】
ボックス２は、支持台９の上方に設けられており、ボックス２には、作業者がワークＷや研磨機Ｐ等を持つ手を挿入する開口である作業用開口２２、２３が形成されている。
【００３２】
水使用研磨用ボックス１は、研磨加工等の作業の際に、ボックス２の内部に洗浄水を噴射することが可能であることを特徴とする。そして、ボックス２は、ワークＷから飛散する研磨屑等を受け止めると共に、加工の際に内部に噴射される洗浄水を受け止めて、研磨屑等が外部へ飛散することを防止する。
【００３３】
水受皿４は、略直方体状の形態をなす上面が開口した略箱状の部材であり、例えば、ステンレス材等から形成されている。水受皿４は、支持台９の上部に載置され、水受皿４の上部にボックス２が載置される。水受皿４は、加工の際にボックス２の内部に噴射されて飛散する洗浄水を受け止める。
【００３４】
貯水容器７は、洗浄水を貯留する容器であり、ボックス２及び水受皿４の下方に設けられ、例えば、ペットボトル等であっても良い。貯水容器７は、ボックス２を支持する支持台９に取り外し自在に支持されている。
【００３５】
排水管８は、水受皿４を介してボックス２と貯水容器７とを流水可能につなぐ、例えば、合成樹脂等から形成された可撓性の配管である。排水管８は、その上端が水受皿４の排水口となる排水管接続部１２（図５参照）に接続されており、下端が貯水容器７の吸水口に接続されている。これにより、ボックス２の内部に噴射された洗浄水は、水受皿４及び排水管８を経由して貯水容器７へと流れ貯水容器７の内部に溜められる。
【００３６】
支持台９は、ボックス２、水受皿４、貯水容器７及び排水管８を支持する部材であり、例えば、略直方体状の形態をなす移動自在なワゴン等であっても良い。支持台９の４隅部には、垂直方向に延在する支柱３０が設けられており、各支柱３０は、水平方向に延在する横棒３１によって固定されている。
【００３７】
支柱３０及び横棒３１は、例えば、金属性のパイプ材、角柱、山形鋼等である。支柱３０としては、略コ字状に折り曲げられた部材が左右に一対利用されても良い。即ち、支持台９の前後角部で垂直方向に延在する２本が支持台９の上部において前後水平方向に延在する横棒３１となる部分を介して連続するよう形成されても良い。
【００３８】
支持台９には、支柱３０に支持された棚板３２、３３、３４が設けられている。棚板３２、３３、３４は、例えば、鋼鈑から形成された板状の部材であり、前後の端辺近傍が図示しない横棒を介して支柱３０に固定されている。
【００３９】
最下段の棚板３２の上面には、貯水容器７が載置され、最上段の棚板３４の上面には、水受皿４が載置される。また、最下段の棚板３２の上面に、貯水容器７を載置するための図示しない箱部材が設けられていても良い。
【００４０】
排水管８は、取り外し可能に貯水容器７に接続されており、貯水容器７は、取り外し可能に棚板３２上に支持されている。このような構成により、研磨等の作業で洗浄水が溜まった貯水容器７を取り外して洗浄水を廃棄等することができる。また、使用済みの貯水容器７を、新しい貯水容器７に交換することも可能であり、その作業は容易である。
【００４１】
支柱３０の下端部には、支持台９を移動自在に支持する車輪３６が設けられている。車輪３６は、例えば、ゴム車輪等を有するキャスタであり、方向変更可能な自在車、または、自在車と所定の一方向に向かって移動可能な固定車との組み合わせであっても良い。車輪３６が設けられることにより、水使用研磨用ボックス１の移動が容易になり、研磨等の作業効率が向上する。
【００４２】
図２は、水使用研磨用ボックス１のボックス２近傍を正面斜め上から見た透視図である。
図２に示すように、ボックス２は、第２の水受皿としての水受皿５と、その上方に取り付けられた上蓋部材６と、から形成され、中空略直方体状の形態をなしている。ボックス２の内部には、水受皿５及び上蓋部材６に囲まれた研磨作業空間３が形成される。
水受皿５は、略直方体状の形態をなす上面が開口した略箱状の部材であり、例えば、ステンレス材等から形成されており、水受皿４の内部に載置される。
【００４３】
上蓋部材６は、略直方体状の形態をなす下面が開口した略箱状の部材であり、水受皿５の内部に取り付けられる。詳しくは、上蓋部材６は、研磨作業空間３を上方から覆う上蓋部２０と、研磨作業空間３を周囲側方から覆う側壁部２１と、を有する。
【００４４】
上蓋部２０の４隅角部、上蓋部２０と側壁部２１とをつなぐ４つの辺部、及び側壁部２１の４つの辺部は、略曲面状に形成されていても良い。また、上蓋部材６は、研磨作業空間３の内部を視認することが可能な透明部材、例えば、合成樹脂材等から形成されている。よって、作業者は、作業中にボックス２内部の作業状態を目視により把握することができる。
【００４５】
上蓋部材６の正面側の側壁部２１には、作業者がワークＷ（図６参照）を持つ手及び研磨機Ｐ（図６参照）を持つ手を研磨作業空間３に挿入可能な作業用開口２２、２３が形成されている。
【００４６】
図３は、水使用研磨用ボックス１のボックス２付近を模式的に示す正面図である。
図２及び図３を参照して、作業用開口２２は、作業者がワークＷ（図６参照）を保持する左手を挿入可能な第１の作業用開口であり、例えば、略円形状に形成されている。
【００４７】
作業用開口２３は、作業者が研磨機Ｐ（図６参照）を把持する右手を挿入可能な第２の作業用開口であり、作業用開口２２より大きく、例えば、側壁部２１の上辺部付近及び右側辺部付近を超えて開口している略四角形状の開口である。
【００４８】
図４は、水使用研磨用ボックス１のボックス２付近を模式的に示す平面図である。
図２及び図４を参照して、作業用開口２３は、側壁部２１から上蓋部２０まで連続して開口するよう形成されている。詳しくは、上蓋部２０の正面右側角部近傍には、目視用開口２４が形成されており、目視用開口２４は、側壁部２１に形成されている作業用開口２３に連続して開口している。
【００４９】
上記構成により、研磨機Ｐ（図６参照）の挿入が容易になると共に、作業者は、上蓋部２０に形成された目視用開口２４を含む作業用開口２３から視覚を通じて研磨等の加工状態を把握することができる。よって、加工を行う手を動かし易く研磨機Ｐ等の操作が容易になると共に、加工状態を正確に視認することができるので、安全且つ高精度な研磨等加工を行うことができる。
【００５０】
なお、前述の作業用開口２２、２３及び目視用開口２４は、水使用研磨用ボックス１を使用する作業者に対応して使い易くするため、左右逆に形成されていても良い。
【００５１】
図５は、水使用研磨用ボックス１のボックス２付近を模式的に示す分解正面図である。
図５に示すように、水受皿４の底面部１０には、排水管８が接続される排水管接続部１２が形成されている。排水管接続部１２は、洗浄水が流れる開口であり、底面部１０から下方に突出する略球冠状または略円錐状の漏斗状の形態をなしている。排水管接続部１２は、大径部が上方、小径部が下方になるよう配置され、小径部の下端に排水管８の上端が接続されている。
【００５２】
水受皿５の底面部１５には、水受皿４の排水管接続部１２に上方から挿入される排水筒部１７が形成されている。排水筒部１７は、底面部１５から下方に突出する略球冠状または略円錐状の漏斗状の形態をなし、洗浄水が流出するよう下端が開口している。
【００５３】
このように水受皿５の排水筒部１７が水受皿４の排水管接続部１２に嵌められる構成により、水受皿５から流れ出す洗浄水等が外部に漏れてしまうこと抑えることができる。
【００５４】
排水管接続部１２の流路には、流下する研磨屑等を受け止めるネット１８が設けられても良い。ネット１８は、例えば、ステンレス線材等から形成された網状の部材であり、排水管接続部１２の上方から排水管接続部１２の流路内に取り外し自在に取り付けられる。
【００５５】
また、排水筒部１７の流路には、流下する研磨屑等を受け止めるネット１９が設けられても良い。ネット１９は、例えば、ステンレス線材等から形成された網状の部材であり、排水筒部１７の上方から排水筒部１７の流路内に取り外し自在に取り付けられる。
【００５６】
このように、研磨屑等を捕らえる取り外し自在なネット１８、１９が設けられることにより、洗浄水から研磨屑等を分けて取り出すことができ、研磨等作業後の洗浄作業も容易になる。
【００５７】
支持台９の棚板３４には、排水管接続部１２を挿通可能な排水管孔３５が形成されている。水受皿４は、排水管接続部１２が排水管孔３５に挿入され、底面部１０の下面が棚板３４の上面に当接するよう、取り外し自在に載置される。
水受皿５は、水受皿５の底面部１５の下面が水受皿４の底面部１０の上面に当接するよう、水受皿４の側面部１１よりも内側に取り外し自在に載置されている。
【００５８】
上蓋部材６は、側壁部２１が水受皿５の側面部１６の内側になるよう、水受皿５の情報内部に載置される。具体的には、上蓋部材６は、側壁部２１の外周が水受皿５の側面部１６の内周に嵌められるよう、取り外し自在に水受皿５に固定されている。
【００５９】
このような構成により、ボックス２内に噴射されて研磨屑等を流す洗浄水が、上蓋部材６と水受皿５の接続部、または、水受皿４と水受皿５の接続部から外部に流出してしまうことを防止することができる。
【００６０】
また、水受皿５の下方に水受皿５よりも大きな水受皿４が設けられているので、研磨等の作業中に作業者の手を伝う等によって作業用開口２２、２３から外部に漏れてしまった洗浄水等を水受皿４で受け止めることができる。
【００６１】
また、上蓋部材６及び水受皿４、５が取り外し自在に設けられているので、研磨等作業中の除塵の後に上蓋部材６及び水受皿４、５を取り外して、上蓋部材６、水受皿４及び水受皿５に付着している研磨屑等を容易に洗い流すことができる。
【００６２】
なお、例えば、図示しないヒンジ機構の支持部によって、上蓋部材６の下辺部近傍が水受皿５の上辺部近傍に回動自在に支持され、上蓋部材６が開閉自在に支持される構成を採用しても良い。上蓋部材６が開閉自在に設けられることにより、上蓋部材６を回動して開くことによっても、水受皿５の洗浄及びボックス２内部の洗浄等を容易に行うことができる。
【００６３】
図６は、水使用研磨用ボックス１の使用状態を示すボックス２付近の透視図である。
図６に示すように、作業者は、ワークＷ及び研磨機Ｐ等を持つ手を作業用開口２２、２３からボックス２内の研磨作業空間３に挿入し、作業用開口２２、２３から加工部分を視認しながら研磨等の加工を実行することができる。
【００６４】
よって、作業者は、加工を行う手を動かし易く、研磨機Ｐ等の操作が容易になると共に、加工状態を正確に把握することができるので、安全且つ高精度な研磨等加工を行うことができる。
【００６５】
図１ないし図６を参照して、水使用研磨用ボックス１を使用した研磨等の作業について詳細に説明する。
作業者は、加工する義歯等のワークＷを持つ手を作業用開口２２から、ハンドピース等の研磨機Ｐを持つ手を作業用開口２３から、ボックス２の内部の研磨作業空間３に挿入する。そして、作業者は、研磨機Ｐ等から洗浄水を噴射しながらワークＷを研磨等する加工を実行することができる。
【００６６】
即ち、水使用研磨用ボックス１によれば、作業者は、従来技術の空気流を利用する歯科用粉塵器のように研磨機Ｐ等からの洗浄水噴射を停止することなく、研磨作業中に研磨機Ｐ等から洗浄水を噴射しながら作業を行うことができる。
【００６７】
水使用研磨用ボックス１によれば、研磨機Ｐ等から洗浄水を噴射し、その洗浄水によってワークＷの被加工部分から飛散する研磨屑等を捕らえて下方に押し流すことができる。また、粉塵等と共にワークＷから周囲に飛散する水溶液についてもボックス２の内周に当たって下方に流される。
【００６８】
そして、水使用研磨用ボックス１は、水受皿４、水受皿５、排水管８及び貯水容器７を有するので、粉塵等と共に下方に流された洗浄水は水受皿４で受け止められ、水受皿５、排水管８を介して貯水容器７に流されその内部に貯留される。これにより、研磨作業等によってワークＷから発生する粉塵が室内に飛散することを防止することができる。
【００６９】
また、水使用研磨用ボックス１は、研磨等加工中のワークＷに洗浄水を吹き付けることができるので、ワークＷの加工部分を冷却することができ、摩擦によるワークＷの高温化を抑えることができる。よって、発熱による損傷のない高精度且つ高品質な研磨等の加工が可能となる。
【００７０】
また、前述のとおり、上蓋部材６は透明な部材から形成されている。これにより、研磨等の作業を行う作業者は、作業の際に研磨作業空間３の内部を視認することができる。また更に、作業用開口２３からは、洗浄水や粉塵等の付着によって視界が妨げられることなく、より鮮明に研磨作業空間３の内部を視認することができる。これにより作業者は、作業状況を正確に把握し、安全且つ高精度な研磨等作業を実行することができる。
【００７１】
また、図２に示す如く、上蓋部材６の上蓋部２０には、研磨作業空間３の内部を視認可能な目視用開口２４が形成されている。前述のとおり、第２の作業用開口である右側の作業用開口２３は、側壁部２１から上蓋部２０の目視用開口２４まで連続して開口するよう形成されている。
【００７２】
これにより、作業者は、上蓋部材６の目視用開口２４を含む作業用開口２３から視覚を通じて研磨機Ｐ等による加工箇所を正確に視認することができる。よって、安全で効率的な作業が可能となる。
【００７３】
なお、本考案は、上記実施形態に限定されるものではない。例えば、水使用研磨用ボックス１のボックス２は、略円柱状に形成されても良い。即ち、ボックス２の水受皿５及びその上の上蓋部材６は、それぞれ略円形カップ状に形成されても良い。このようにボックス２が略円柱状に形成される構成により、ボックス２の側壁部２１の内面に角部がなくなるので、側壁部２１に付着する研磨屑等の残留を抑えることができる。
【００７４】
また、ボックス２の上蓋部材６の上蓋部２０は、中央付近が上方に突出する略ドーム状の形態でも良い。このような形態の上蓋部材６を採用することにより、研磨作業空間３の中央付近が広くなり研磨等の作業が容易になる。
【００７５】
また、研磨機Ｐ等から上方に噴射された洗浄水やワークＷの研磨屑等は、略ドーム状に形成された上蓋部２０に衝突して付着しても、上蓋部２０に沿って側壁部２１方向に流され易くなる。よって、研磨屑等は、上蓋部２０に固着し難く、ボックス２下部の水受皿５に流されて、水受皿４及び排水管８を介して、貯水容器７に送られる。
【００７６】
本考案は、その他、本考案の要旨を逸脱しない範囲で、種々の変更実施が可能である。
【符号の説明】
【００７７】
１      水使用研磨用ボックス
２      ボックス
３      研磨作業空間
４      水受皿
５      水受皿
６      上蓋部材
７      貯水容器
８      排水管
９      支持台
１０    底面部
１１    側面部
１２    排水管接続部
１５    底面部
１６    側面部
１７    排水筒部
１８    ネット
１９    ネット
２０    上蓋部
２１    側壁部
２２    作業用開口
２３    作業用開口
２４    目視用開口
３０    支柱
３１    横棒
３２    棚板
３３    棚板
３４    棚板
３５    排水管孔
３６    車輪
Ｐ      研磨機
Ｗ      ワーク
【図１】
0003225358.tif 000003
【図２】
0003225358.tif 000004
【図３】
0003225358.tif 000005
【図４】
0003225358.tif 000006
【図５】
0003225358.tif 000007
【図６】
0003225358.tif 000008